(57)【要約】      （修正有）【課題】プレキャストコンクリートブロック相互の連結部においてブロックの前面側或いは背面側となる左右側壁部のいずれか一方側から他方側の連結部を操作することのできるブロックの連結構造及ブロックの撤去方法を提供する。【解決手段】コンクリートブロック1を長手方向に延設させる連結構造において、連結部の左右垂直部に跨って連結プレートを配置し、連結プレートによりコンクリートブロック1相互を連結し、コンクリートブロック1間に跨って配置された連結プレートの両端部にボルト挿通孔を設け、左右側壁部のいずれか一方側に位置させた連結プレートから他方側の連結プレートへ向けて貫通孔を貫通させて締め付けボルトを挿通し、他方側の連結プレートはボルト挿通孔の表面側に螺合部を一体形成し、一方側から他方側へ挿入した締め付けボルトの先端部を螺合部で固定し、締め付けボルトの挿入側となる基端部は着脱自在の螺合部により固定する。【選択図】図１
2018100525.tif 000002
【特許請求の範囲】
【請求項１】
左右側壁部、設置底部、上部の外形を有するコンクリート本体よりなるコンクリートブロックを長手方向に延設させる連結部において、該左右側壁部の端部表面側に左右垂直部及び左右側壁部を貫通する貫通孔を設けて連結部を形成し、他の同様の形状のコンクリートブロックの連結部を隣接させ、該連結部の左右垂直部に跨って連結プレートを配置し、該連結プレートを各々の該貫通孔に挿通した締め付けボルトの固定によりコンクリートブロック相互を連結してなる連結構造において、コンクリートブロック間に跨って配置された該連結プレートの両端部にボルト挿通孔を設け、左右側壁部のいずれか一方側に位置させた連結プレートから他方側の連結プレートへ向けて該貫通孔を貫通させて締め付けボルトを挿通し、他方側の連結プレートは該ボルト挿通孔の表面側に螺合部を一体形成し、一方側から他方側へ挿入した締め付けボルトの先端部を該螺合部で固定し、該締め付けボルトの挿入側となる基端部は着脱自在の螺合部により固定してなることを特徴とするコンクリートブロックの連結構造。
【請求項２】
垂直部は、コンクリートブロックの左右側壁部の端部表面側の対向する位置の上下方向の複数箇所に設けてなることを特徴とする請求項１記載のコンクリートブロックの連結構造。
【請求項３】
螺合部が一体形成された連結プレートが配置される側の垂直部は、該連結プレートのいずれか一方の締め付けボルトを軸として該連結プレートが回動できる平坦部を形成してなることを特徴とする請求項１又は２記載のコンクリートブロックの連結構造。
【請求項４】
設置底部側を幅広としたコンクリートブロックは、左右側壁部のいずれも上方側から下方側に向けて漸次深く切欠することで垂直切欠部とした垂直部を形成してなることを特徴とする請求項２又は３記載のコンクリートブロックの連結構造。
【請求項５】
左右側壁部、設置底部、上部の外形を有するコンクリート本体よりなるコンクリートブロックを長手方向に延設させる連結部において、該左右側壁部の端部表面側に左右垂直部及び左右側壁部を貫通する貫通孔を設けて連結部を形成し、他の同様の形状のコンクリートブロックの連結部を隣接させ、該連結部の左右垂直部に跨って連結プレートを配置し、該連結プレートを各々の該貫通孔に挿通した締め付けボルトの固定によりコンクリートブロック相互を連結してなる連結構造において、コンクリートブロック間に跨って配置された該連結プレートの両端部にボルト挿通孔を設け、左右側壁部のいずれか一方側に位置させた連結プレートから他方側の連結プレートへ向けて該貫通孔を貫通させて締め付けボルトを挿通し、他方側の連結プレートは該ボルト挿通孔の表面側に螺合部を一体形成し、一方側から他方側へ挿入した締め付けボルトの先端部を該螺合部で固定し、該締め付けボルトの挿入側となる基端部は着脱自在の螺合部により固定してなるコンクリートブロックの連結構造において、先に撤去する側のコンクリートブロックの左右側壁部のいずれか一方側の着脱自在の螺合部で固定した連結プレートの締め付けボルトを螺合部を解除することにより工事区域側より取り除き、後に撤去する側のコンクリートブロックの締め付けボルトは着脱自在側の螺合部を緩めた状態で残存させ、該連結プレート及び該締め付けボルトをコンクリートブロックの連結部に残して先に撤去する側のコンクリートブロックを撤去することを特徴とするコンクリートブロックの撤去方法。
【請求項６】
残存させた連結プレートは、先に撤去する側のコンクリートブロックの上昇に伴い残存させた締め付けボルトを軸として反時計回り方向に回動し、後に撤去する側のコンクリートブロックと一緒に撤去されることになることを特徴とする請求項５記載のコンクリートブロックの撤去方法。
【発明の詳細な説明】
【技術分野】
【０００１】
本発明は、プレキャストコンクリートブロックのブロック相互を連結して長手方向に延設させる構築物の連結部において該構築物における連続したブロックの前面側或いは背面側となる左右側壁部のいずれか一方側から他方側の連結部を操作することのできるコンクリートブロックの連結構造及びそのコンクリートブロックの撤去方法に関する。
【背景技術】
【０００２】
プレキャストコンクリートブロックを連結して長手方向へ延設させる構築物には様々な連結構造があるが、図７に示すコンクリートブロックの連結構造は、連結プレートを隣接するコンクリートブロックに架け渡し、前面側或いは背面側となる左右側壁部の両表面側からボルト・ナットで固定するプレート固定方法が簡便な手段として多用されている。
【０００３】
例えば、道路工事において、車両通行側と工事区域側とを区分けするコンクリート仮設防護柵ブロックが使用されているが、設置時には車両の通行止めを行って該コンクリート仮設防護柵の左右側壁部の両側を工事区域に利用して施工することが可能であるが、撤去時にあっては車両の通行止めを避けることが求められており、この状況下で車両通行側を利用しての撤去作業は極めて危険であった。
【０００４】
コンクリート仮設防護柵等の左右側壁部のいずれか一方側において危険を伴う領域が生じている場合があり、その連結部における上記のような従来のプレート固定方法での連結プレートの撤去は、危険領域側に回り込んで該連結プレートを取り外す作業を行わなければならず、その危険を回避するためには別途の手段を講じなければならないことが生じていた。
【０００５】
また、下記する特許文献１には、図８に示すように、上記した連結プレートによって隣り合うブロックＡ相互を連結するものであるが、該ブロックＡの窪みＢに連結プレートとなる継手板Ｃを嵌め込み、該窪みＢに設けた通孔Ｄにボルトを螺合するかナットにより締め付け固定することによりブロックＡの複数を連結一体化する技術が記載されているが、該窪みＢは、継手板Ｃを嵌合することのできる大きさに形成されており、嵌め込まれた継手板Ｃは固定状態を解除しても該窪みＢ内に留まることはなく、落下するのみであった。
【先行技術文献】
【特許文献】
【０００６】
【特許文献１】特許第３９５１２５０号公報
【発明の概要】
【発明が解決しようとする課題】
【０００７】
本発明は、連続設置されるコンクリートブロックの前面側或いは背面側となる左右側壁部のいずれか側となる片方側の区域からのみの作業で連結部の操作を行うことのできるコンクリートブロックの連結構造及びそのコンクリートブロックの撤去方法を提供するものである。
【課題を解決するための手段】
【０００８】
本発明は、左右側壁部、設置底部、上部の外形を有するコンクリート本体よりなるコンクリートブロックを長手方向に延設させる連結部において、該左右側壁部の端部表面側に左右垂直部及び左右側壁部を貫通する貫通孔を設けて連結部を形成し、他の同様の形状のコンクリートブロックの連結部を隣接させ、該連結部の左右垂直部に跨って連結プレートを配置し、該連結プレートを各々の該貫通孔に挿通した締め付けボルトの固定によりコンクリートブロック相互を連結してなる連結構造において、コンクリートブロック間に跨って配置された該連結プレートの両端部にボルト挿通孔を設け、左右側壁部のいずれか一方側に位置させた連結プレートから他方側の連結プレートへ向けて該貫通孔を貫通させて締め付けボルトを挿通し、他方側の連結プレートは該ボルト挿通孔の表面側に螺合部を一体形成し、一方側から他方側へ挿入した締め付けボルトの先端部を該螺合部で固定し、該締め付けボルトの挿入側となる基端部は着脱自在の螺合部により固定してなるコンクリートブロックの連結構造を特徴とする。
【０００９】
また、上記垂直部は、コンクリートブロックの左右側壁部の端部表面側の対向する位置の上下方向の複数箇所に設けてなるコンクリートブロックの連結構造を特徴とする。
【００１０】
更に、螺合部が一体形成された連結プレートが配置される側の垂直部は、該連結プレートのいずれか一方の締め付けボルトを軸として該連結プレートが回動できる平坦部を形成してなるコンクリートブロックの連結構造を特徴とする。
【００１１】
また、上記設置底部側を幅広としたコンクリートブロックは、左右側壁部のいずれも上方側から下方側に向けて漸次深く切欠することで垂直切欠部とした垂直部を形成してなるコンクリートブロックの連結構造を特徴とする。
【００１２】
更に、左右側壁部、設置底部、上部の外形を有するコンクリート本体よりなるコンクリートブロックを長手方向に延設させる連結部において、該左右側壁部の端部表面側に左右垂直部及び左右側壁部を貫通する貫通孔を設けて連結部を形成し、他の同様の形状のコンクリートブロックの連結部を隣接させ、該連結部の左右垂直部に跨って連結プレートを配置し、該連結プレートを各々の該貫通孔に挿通した締め付けボルトの固定によりコンクリートブロック相互を連結してなる連結構造において、コンクリートブロック間に跨って配置された該連結プレートの両端部にボルト挿通孔を設け、左右側壁部のいずれか一方側に位置させた連結プレートから他方側の連結プレートへ向けて該貫通孔を貫通させて締め付けボルトを挿通し、他方側の連結プレートは該ボルト挿通孔の表面側に螺合部を一体形成し、一方側から他方側へ挿入した締め付けボルトの先端部を該螺合部で固定し、該締め付けボルトの挿入側となる基端部は着脱自在の螺合部により固定してなるコンクリートブロックの連結構造において、先に撤去する側のコンクリートブロックの左右側壁部のいずれか一方側の着脱自在の螺合部で固定した連結プレートの締め付けボルトを螺合部を解除することにより工事区域側より取り除き、後に撤去する側のコンクリートブロックの締め付けボルトは着脱自在側の螺合部を緩めた状態で残存させ、該連結プレート及び該締め付けボルトをコンクリートブロックの連結部に残して先に撤去する側のコンクリートブロックを撤去するコンクリートブロックの撤去方法を特徴とする。
【００１３】
また、残存させた連結プレートは、先に撤去する側のコンクリートブロックの上昇に伴ない残存させた締め付けボルトを軸として反時計回り方向に回動し、後に撤去する側のコンクリートブロックと一緒に撤去されることになるコンクリートブロックの撤去方法を特徴とする。
【発明の効果】
【００１４】
本発明は、道路工事等のように車両通行側と工事区域側或いは土留工事等のように通路側と地山側等との境界部に長手方向に沿って複数個のコンクリートブロックを連結設置する連結部において、該連結部の固定解除を境界部を形成した連続コンクリートブロックの一方側からのみ施工することのできる連結構造としたことにより、コンクリートブロックの撤去作業を他方側に回り込むことなく行うことが可能となった。
【００１５】
また、設置されたコンクリートブロックの撤去を一方側から施工できるようにしたことにより、他方側領域を通常の状態を維持することができ、例えば、道路や通路の境界に設置したものであれば交通を妨げることなく或いは危険な状態におかれることなく安全な施工区域側のみから行うことができ、且つ、迅速にコンクリートブロックを撤去することが可能となった。
【図面の簡単な説明】
【００１６】
【図１】（ａ）コンクリートブロックの短手方向断面図、（ｂ）同長手方向正面図。
【図２】（ａ）コンクリートブロックの連結部の一方側側壁部に使用される連結プレートの平面図、（ｂ）同側面図、（ｃ）コンクリートブロックの連結部の他方側側壁部に使用される連結プレートの平面図、（ｄ）同側面図。
【図３】（ａ）コンクリートブロックの上方位置の連結構造の平断面図、（ｂ）コンクリートブロックの下方位置の連結構造の平断面図。
【図４】コンクリートブロックを連結した状態を示す一方側側壁部の正面図。
【図５】（ａ）、（ｂ）、（ｃ）コンクリートブロックを撤去する状態を示す連結プレートを残す側の連結部の概略正面図。
【図６】（ａ）コンクリートブロックの連結部の他の実施例の短手方向断面図、（ｂ）同連結した状態の一方側側壁部となる前面側の正面図、（ｃ）同他方側側壁部となる背面側の正面図。
【図７】コンクリートブロックの連結部の従来例の正面図。
【図８】ブロック相互の連結部の他の従来例の斜視図。
【発明を実施するための形態】
【００１７】
以下、本発明の実施の形態を図面に基づいて説明する。
【実施例１】
【００１８】
図１乃至５は、コンクリート製仮設防護柵ブロックの実施例で、図１（ａ）は、その短手方向断面図を示している。該コンクリート製仮設防護柵ブロック１は、左側壁部２、右側壁部３、設置底部４、上面部５よりなる外形を有するコンクリート本体よりなる立体形状を有し、長手方向両端部側は、図１（ｂ）に示すように、左端壁部６、右端壁部７、該左右端壁部６、７側の左右側壁部２、３に形成した連結のための連結プレートを配置する上側左垂直部８、８、上側右垂直部９、９、下側左垂直部１０、１０及び下側右垂直部１１、１１とより構成し、本実施例にあっては全体の断面形状を該設置底部４側を大きくした略二等辺台形としている。
【００１９】
該コンクリート製仮設防護柵ブロック１は、長手方向に複数個連結することで延設して防護壁としているが、先に設置したコンクリート製仮設防護柵ブロック１の左端壁部６（左端壁部６側に延設する場合）に、次に設置するコンクリート製仮設防護柵ブロック１ａの右端壁部７とを隣接させて相互を連結し、その連結を繰り返すことで連続延設されることになる。
【００２０】
該左側壁部２及び右側壁部３の左右端壁部６、７に設けた上側左右垂直部８、９、下側左右垂直部１０、１１は、上左右及び下左右の連結プレート１２、１３、１４、１５を配置するための切欠部とし、該コンクリート製仮設防護柵ブロック１、１ａを隣接させて設置したときに各々の上側左右垂直部８、９及び下側左右垂直部１０、１１の左右端壁部６、７位置側と一致する高さ位置に垂直の切欠部として設けているので連続した垂直部が形成されるようになる。
【００２１】
該上側左右垂直部８、９は連結プレート１２、１３の嵌まり込む大きさ或いは下記するように連結プレート１２、１３が回動できる大きさのコ字型の溝状切欠部とし、該下側左右垂直部１０、１１は切欠部の下側が前方側へ突出する漸次深くなるテーパー形状の断面三角形状とし、連結プレート１４、１５が該下側左右垂直部１０、１１内で回動できる大きさの溝状切欠部とする。上側左右垂直部８、９を下側左右垂直部１０、１１と同様に形成してもよい。実施例１では設置底部４側の幅寸法を上面部５側の幅寸法より大きな寸法とした左右側壁部２、３を傾斜壁としているので垂直に切欠することで下側の奥行きが深くなり設置底部４側が前方側へ突出する段部が形成されることになる。
【００２２】
左右端壁部６、７での連結において、隣接するコンクリート製仮設防護柵ブロック１、１ａ相互の左側壁部２及び右側壁部３の上側左右垂直部８、９及び下側左右垂直部１０、１１の位置に両者に跨って各々上側左右連結プレート１２、１３及び下側左右連結プレート、１４、１５を配置して固定することになる。該上側左右連結プレート１２、１３及び該下側左右連結プレート１４、１５を固定するためにコンクリートブロック本体の短手方向にわたって該左右側壁部２、３間を水平方向に貫通する上側左右貫通孔１６、１７、下側左右貫通孔１８、１９を形成し、該各々の貫通孔１６、１７、１８、１９に上側左右連結プレート締め付けボルト２０、２１及び下側左右連結プレート締め付けボルト２２、２３を挿通し、それらは上側左右垂直部８、９及び下側左右垂直部１０、１１に配置された上側左右連結プレート１２、１３及び下側左右連結プレート、１４、１５に各々螺合され固定されることになる。
【００２３】
隣接するコンクリート製仮設防護柵ブロック１、１ａの左右側壁端部６、７の連結部において、両者に跨る連結プレート１２、１３、１４、１５により両者を強固に連結固定することになる。
【００２４】
図２（ａ）、（ｂ）、（ｃ）、（ｄ）は、連結プレートを示し、図２（ａ）、（ｂ）は車両通行側となる左側壁部２側の上側左連結プレート１２、下側左連結プレート１４の正面図及び側面図を示し、その両端部に左側連結プレートボルト挿通孔２４、２５を設け、上下左連結プレート１２、１４の外側表面の左側連結プレートボルト挿通孔２４、２５の位置に連結プレート締め付けボルトが螺合する左右ナット２６、２７を溶接等によって固定する。
【００２５】
図２（ｃ）、（ｄ）は、工事区域側となる右側壁部３の上側右連結プレート１３、下側右連結プレート１５の正面図及び側面図で、その両端部に右側連結プレートボルト挿通孔２８、２９を設けている。予め螺合手段は設けていない。
【００２６】
図３（ａ）は、コンクリート製仮設防護柵ブロック１、１ａの上側に設ける連結部を示しているが、車両通行側となる上側左垂直部８において、上側左垂直部８間に跨って上側左連結プレート１２を配置し、工事区域側となる上側右垂直部９間に上側右連結プレート１３を配置し、上側左右貫通孔１６、１７に上側左右連結プレート締め付けボルト２０、２１を工事区域側から挿通し、その先端部側を上側左連結プレート１２の左側連結プレートボルト挿通孔２４、２５を貫通させ該上側左連結プレート１２に固定された左右ナット２６、２７に螺合し、工事区域側では上側右連結プレート１３の右側連結プレートボルト挿通孔２８、２９から突出した基端部側の上側左右連結プレート締め付けボルト２０、２１を別体となる着脱自在の左右ナット３０、３１を螺合させて固定する。
【００２７】
図３（ｂ）は、コンクリート製仮設防護柵ブロック１の下側の連結部を示しているが、車両通行側となる下側左垂直部１０に、下側左垂直部１０間に跨って下側左連結プレート１４を配置し、工事区域側となる下側右垂直部１１間に跨って下側右連結プレート１５を配置し、下側左右貫通孔１８、１９に下側左右連結プレート締め付けボルト２２、２３を挿通し、その先端部側を下側左連結プレート１４の左側連結プレートボルト挿通孔２４、２５を貫通させ該下側左連結プレート１４に固定したた左右ナット２６、２７に螺合し、工事区域側では下側右連結プレート１５の右側連結プレートボルト挿通孔２８、２９から突出した基端部側の下側左右連結プレート締め付けボルト２２、２３を別体となる着脱自在の左右ナット３０、３１を螺合させて固定する。
【００２８】
図４は、コンクリート製仮設防護柵ブロック１、１ａ、１ｂ、…相互を連結した状態の車両通行側となる左側壁部２の正面図を示している。左端壁部６に隣接するコンクリート製仮設防護柵ブロック１ａの右端壁部７を、その左右端壁部６、７に形成された上側左垂直部８及び下側左垂直部１０が隣接するようにしてコンクリート製仮設防護柵ブロック１ａを設置する。これにより上記垂直部となる切欠部が連通する位置に配置され、当該位置に上側左連結プレート１２及び下側左連結プレート１４を固定することになる。工事区域側となる右側壁部３側も上下右連結プレート１３、１５を同様にして固定する。
【００２９】
上記連続したコンクリート製仮設防護柵ブロック１、１ａ相互を解体する場合を図５（ａ）、（ｂ）、（ｃ）に示す。上側の連結部にあっては、工事区域側から上側左右貫通孔１６、１７に挿入された上側左右連結プレート締め付けボルト２０、２１に螺合している別体となる着脱自在の左右ナット３０、３１を緩めることにより車両通行側の上側左連結プレート１２に固定したナット２６、２７から該上側左右連結プレート締め付けボルト２０、２１の先端部が外れ、上側左連結プレート１２の固定状態が解除され施工者が上面部５側から手を伸ばして該上側左連結プレート１２を取り除くことができる。これにより工事区域側の上側右連結プレート１３は、該上側左右連結プレート締め付けボルト２０、２１を上側左右貫通孔１６、１７より引き抜くことができ、取り除くことができる。
【００３０】
他方、下側の連結部にあっては、先に下側左連結プレート締め付けボルト２２を工事区域側より着脱自在の左ナット３０を緩めることにより該下側左連結プレート締め付けボルト２２の先端側が右ナット２７から外れ、車両通行側の連結プレート１４の右側は固定状態が解除され、該下側左連結プレート締め付けボルト２２を下側左貫通孔１８より引き抜くことができる。この状態で連結プレート１５の下側右連結プレート締め付けボルト２３の別体の着脱自在の右ナット３１をやや緩めることにより、該下側右連結プレート締め付けボルト２３の先端側の左ナット２６との固定状態が緩くなる。この状態でコンクリート製仮設防護柵ブロック１を、図５（ａ）に示すように、上昇させると、下側左右連結プレート１４、１５は、その下側右連結プレート締め付けボルト２３がナットにより螺合されたままの状態となっているので、撤去する側のコンクリート製仮設防護柵ブロック１の下側左右垂直部１０、１１の下端部３２に当接し、更なる上昇により該下側右連結プレート締め付けボルト２３を軸として反時計回り方向に回動する。
【００３１】
その状態で、更に、撤去するコンクリート製仮設防護柵ブロック１を上昇させると、図５（ｂ）に示すように、下側左右連結プレート１４、１５の可動側となる一方側端部が該コンクリート製仮設防護柵ブロック１の下側左切欠部１０の下端部３２の外角部の位置まで立ち上がることになる。
【００３２】
上記図５（ｂ）の状態から更に上昇させると、該下側左右連結プレート１４、１５は、下側左切欠部１０の位置から外れることになる。下側右連結プレート締め付けボルト２３の締め付け状態により、そのまま立ち上がった状態を維持するか、図５（ｃ）に示すように、該下側右連結プレート締め付けボルト２３を軸として時計回り方向に回動することになる。該下側左右連結プレート１４、１５はコンクリート製仮設防護柵ブロック１ａの下側右垂直部１１の位置で落下することなく留まることになる。
【００３３】
上記撤去方法を繰り返すことにより、車両通行側に回り込んで下側左右連結プレート１４、１５を取り除く作業をすることなくコンクリート製仮設防護柵ブロック１、１ａ、１ｂ、…を順次撤去することが可能となる。
【００３４】
該下側左右連結プレート１４、１５は、所定箇所へのコンクリート製仮設防護柵ブロック１、１ａ、１ｂ、…の撤去移動後、簡単に取り外すことができる。
【００３５】
上記において、上側の連結部を下側の連結部と同様に、後に撤去する側のコンクリートブロックの連結プレートを残したままで先のコンクリートブロックを撤去することができる。高さの有るコンクリートブロックの連結構造の場合にはこの方法を採用する。
【実施例２】
【００３６】
図６は、落下防止用のコンクリート製仮設防護柵ブロックの他の実施例を示している。該コンクリート製仮設防護柵ブロック４１は、道路の側壁側が崖地や落石が生じ易い場所或いは堆積物が生じ易い場所等の前面側に設置するもので、当該箇所の補修後に撤去することになる。該コンクリート製仮設防護柵ブロック４１は、道路等に設置される下部の防護壁４２とそれに連続した上部の防護柵４３とよりなる立体形状として形成している。
【００３７】
該防護壁４２は、落石等から生じる衝撃に耐えることのできる重量と厚さの有る塊状のコンクリート体よりなり、その前面側は下側前面垂直部４４を設け、背面側は下側背面垂直部４５を形成している。
【００３８】
該防護柵４３は、該防護壁４２の上部前方側より立ち上がり、落石や他の堆積物等の障害物の落下衝撃やそれらの圧力に耐えることのできる厚さとそれら障害物が道路側に落下することを防止する高さを有するものであり、その前面側端縁部には上側前面垂直部４６を設け、背面側は上側背面垂直部４７を形成している。
【００３９】
該コンクリート製仮設防護柵ブロック４１は、コンクリートブロック相互を長手方向に複数個連結することで延設された境界部を形成する構築物としている。
【００４０】
該防護壁４２の下側前面垂直部４４から下側背面垂直部４５にわたってブロック本体の短手方向を水平に貫通させることで防護壁貫通孔４８を形成し、同様に、該防護柵４３も上側前面垂直部４６より上側背面垂直部４７にわたってブロック本体の短手方向を水平に貫通させることで防護柵貫通孔４９を形成している。
【００４１】
該下側前面垂直部４４及び下側背面垂直部４５には、各々下側前面連結プレート５０及び下側背面連結プレート５１を配置し、上側前面垂直部４６及び上側背面垂直部４７には、各々上側前面連結プレート５２及び上側背面連結プレート５３を配置することになる。
【００４２】
防護壁貫通孔４８及び防護柵貫通孔４９に挿入される連結プレート締め付けボルト５４、５５、５６、５７の構成、連結プレート５０乃至５３の構成及びナット５８、５９、６０、６１の構成等は上記実施例１と同様である。
【００４３】
上記連結部における連結構造を解除してコンクリートブロックを撤去する場合、実施例１と同様の方法によりコンクリートブロックを撤去することができる。
【００４４】
その際、コンクリートブロックの連結プレートが配置される背面側が垂直となっているので、実施例１のように該連結プレートが当接する下端部の構成がなくても該連結プレートの一方側を軸着した状態で該コンクリートブロックを撤去することができる。
【００４５】
上記落下防止用のコンクリート製仮設防護柵ブロックの場合、高さを必要とすることが多いので上側背面連結プレート５３の取り除きは下側背面連結プレート５１と同様の取り除き方法でコンクリートブロックを撤去することになる。
【符号の説明】
【００４６】
１、４１                コンクリート製仮設防護柵ブロック
２                      左側壁部
３                      右側壁部
４                      設置底部
５                      上面部
６                      左端壁部
７                      右端壁部
８                      上側左垂直部
９                      上側右垂直部
１０                    下側左垂直部
１１                    下側右垂直部
１２、１３              上側左右連結プレート
１４、１５              下側左右連結プレート
１６、１７              上側左右貫通孔
１８、１９              下側左右貫通孔
２０、２１              上側左右連結プレート締め付けボルト
２２、２３              下側左右連結プレート締め付けボルト
２４、２５              左側連結プレートボルト挿入孔
２６、２７              左右ナット
２８、２９              右側連結プレートボルト挿入孔
３０、３１              着脱自在の左右ナット
３２                    下端部
４２                    防護壁
４３                    防護柵
４４                    下側前面垂直部
４５                    下側背面垂直部
４６                    上側前面垂直部
４７                    上側背面垂直部
４８                    防護壁貫通孔
４９                    防護柵貫通孔
５０                    下側前面連結プレート
５１                    下側背面連結プレート
５２                    上側前面連結プレート
５３                    上側背面連結プレート
５４、５５、５６、５７  連結プレート締め付けボルト
５８、５９、６０、６１  ナット
【図１】
2018100525.tif 000003
【図２】
2018100525.tif 000004
【図３】
2018100525.tif 000005
【図４】
2018100525.tif 000006
【図５】
2018100525.tif 000007
【図６】
2018100525.tif 000008
【図７】
2018100525.tif 000009
【図８】
2018100525.tif 000010